(57)【特許請求の範囲】
【請求項１】
レンズ鏡筒内に配置される電極を有するレンズと可撓性印刷回路との接続方法であって、
前記レンズの電極を環状に形成し、
前記可撓性印刷回路に、第１の絶縁層と第２の絶縁層と前記レンズの電極と接触する電極とを有する環状部を形成し、
前記電極に、前記第１の絶縁層と前記第２の絶縁層との間に配置された電極中央部から前記第１の絶縁層の一部を通して延びる電極柱部に接続されて、前記第１の絶縁層上に配置される環状の電極接触層を形成し、
該電極接触層と前記レンズの電極とが電気的接触領域を形成するように、前記レンズと前記可撓性印刷回路の環状部とを重ね合わせて配置して、前記レンズと前記可撓性印刷回路の環状部とが径方向に相対的に移動しても、前記電極接触層と前記レンズの電極との電気的接触を常に維持することを特徴とするレンズと可撓性印刷回路との接続方法。
【請求項２】
前記環状の電極接触層の径方向の寸法を、前記レンズと前記可撓性印刷回路の環状部の軸間にオフセットがあっても、前記電極接触層と前記レンズの電極とが電気的接触を維持する大きさにすることを特徴とする請求項１に記載のレンズと可撓性印刷回路との接続方法。
【請求項３】
前記レンズの電極の径方向の寸法及び／又は前記環状の電極接触層の径方向の寸法を、前記レンズと前記可撓性印刷回路の環状部の軸間にオフセットがあっても、前記電極接触層と前記レンズの電極とが全周に亘って電気的接触を維持する大きさにすることを特徴とする請求項１に記載のレンズと可撓性印刷回路との接続方法。
【請求項４】
レンズ鏡筒内に配置される環状の電極を有するレンズと、該レンズの近くに配置される環状部を有する可撓性印刷回路とを備えた光学アセンブリであって、
前記可撓性印刷回路の環状部が、第１の絶縁層と第２の絶縁層と前記レンズの電極と接触する電極とを有し、
該電極が、
前記第１の絶縁層と前記第２の絶縁層との間に配置された電極中央部と、
該電極中央部に接続され、前記第１の絶縁層の一部を通して延びる電極柱部と、
該電極柱部に接続され、前記第１の絶縁層上に配置された環状の電極接触層と、
からなり、
該電極接触層と前記レンズの電極とが電気的接触領域を形成するように、前記レンズと前記可撓性印刷回路の環状部とが重ね合わせて配置され、前記電極接触層と前記レンズの電極とが電気的接触が常に維持されることを特徴とする光学アセンブリ。
【請求項５】
前記環状の電極接触層の径方向の寸法が、前記レンズと前記可撓性印刷回路の環状部の軸間にオフセットがあっても、前記電極接触層と前記レンズの電極とが電気的接触を維持する大きさであることを特徴とする請求項４に記載の光学アセンブリ。
【請求項６】
前記レンズの電極の径方向の寸法及び／又は前記環状の電極接触層の径方向の寸法を、前記レンズと前記可撓性印刷回路の環状部の軸間にオフセットがあっても、前記電極接触層と前記レンズの電極とが全周に亘って電気的接触を維持する大きさであることを特徴とする請求項４に記載の光学アセンブリ。
【発明の詳細な説明】
【技術分野】
【０００１】
この発明は、広くはデジタル画像装置用の回路を構成するための接続に関し、特に、レンズと可撓性印刷回路との接続方法及び光学アセンブリに関する。
【背景技術】
【０００２】
近年のデジタルカメラは、カメラの操作を可能にする種々の部品を含むレンズ鏡筒を備えている。そのようなレンズ鏡筒に含まれる部品の中には、液体レンズを含むレンズと、可撓性印刷回路（ＦＰＣ）がある。ＦＰＣと液体レンズとの間の適切な接続が画像データを正確に取得し得るために必要である。ＦＰＣと液体レンズが互いに最適な位置関係に配置されていれば、電気的な接続は通常うまくなされる。
【発明の概要】
【発明が解決しようとする課題】
【０００３】
しかしながら、実際にはＦＰＣと液体レンズとの間の接続は種々の問題に影響されやすい。ＦＰＣ又は液体レンズの位置決めエラー及び／又はいずれかの部品の整列ミスにより、液体レンズ上の一つの電極とＦＰＣ上の他の一つの電極との間で短絡回路が生じるかもしれない。あるいは、位置決めや整列のエラーは対応電極間での電気的な接触の導通を妨げ、それによってカメラの適正な動作を阻害するかも知れない。
【０００４】
従って、デジタルカメラアセンブリのような、光学アセンブリ内でのＦＰＣをレンズに接続するためのシステム及び方法を改善するための技術が必要である。
【課題を解決するための手段】
【０００５】
この発明によるレンズと可撓性印刷回路との接続方法は、レンズ鏡筒内に配置される電極を有するレンズと可撓性印刷回路との接続方法であって、上記レンズの電極を環状に形成し、上記可撓性印刷回路に、第１の絶縁層と第２の絶縁層と上記レンズの電極と接触する電極とを有する環状部を形成し、その電極に、上記第１及び第２の絶縁層の間に配置された電極中央部から上記第１の絶縁層の一部を通して延びる電極柱部に接続されて、上記第１の絶縁層上に配置される環状の電極接触層を形成する。
そして、その電極接触層と上記レンズの電極とが電気的接触領域を形成するように、上記レンズと可撓性印刷回路の環状部とが重ね合わせて配置して、上記レンズと可撓性印刷回路の環状部とが径方向に相対的に移動しても、上記電極接触層と上記レンズの電極との電気的接触を常に維持することを特徴とする。
【０００６】
その電極中央部は、実質的にその全長に亘って、その上面で絶縁されるのが望ましい。その電極接触層は、印刷回路の外側に沿って配置されるのが望ましい。その電極接触層は、その電極接触層と導電接触する外部部品に対して、その導電接触を維持しながら前記印刷回路が移動できる長さ形状を有するのが好ましい。上記印刷回路は、光学アセンブリ内で環状のレンズインタフェース（相互接続部）と係合するように構成された環状形であるのが好ましい。その環状印刷回路と環状レンズの径方向寸法は、上記印刷回路とレンズの軸が互いにずれたとしても、電気的接触の導通が維持されるように構成されるのが望ましい。
【０００７】
この発明による光学アセンブリは、レンズ鏡筒内に配置される環状の電極を有するレンズと、該レンズの近くに配置される環状部を有する可撓性印刷回路（ＦＰＣ）とを備えた光学アセンブリであって、そのＦＰＣの環状部が、第１の絶縁層と第２の絶縁層と上記レンズの電極と接触する電極とを有し、その電極が、上記ＦＰＣの第１の絶縁層と第２の絶縁層との間に配置された電極中央部と、その電極中央部に接続され、上記第１の絶縁層の一部を通して延びる電極柱部（ポスト）と、その電極柱部に接続され、上記第１の絶縁層上に配置された環状の電極接触層とからなる。
そして、その電極接触層と上記レンズの電極とが電気的接触領域を形成するように、上記レンズと可撓性印刷回路の環状部とが重ね合わせて配置され、上記電極接触層と上記レンズの電極とが電気的接触を常に維持されることを特徴とする。
【０００８】
上記電極接触層は、上記第１の絶縁層と上記レンズとの間に配置されるのが望ましい。その電極接触層は、上記レンズとＦＰＣの間に側方への相対的な移動が生じても、上記レンズの電極との導通した電気的接触を維持するように構成されるとよい。上記レンズの電極とＦＰＣの電極の電極接触層は環状であるのがよい。上記レンズの電極とＦＰＣの電極接触層との接触は、径寸法と外周寸法を有する環状の接触領域上でなされるとよい。
【０００９】
その環状の接触領域の上記径寸法は、上記レンズと上記ＦＰＣの軸間でオフセットが生じても導通した電気的接触を維持し得るのに十分であるのがの望ましい。典型的な実行手段では、この発明の装置は、オフセットの許容誤差４ｍｍまで回路短絡を防止でき、６ｍｍまで回路開放を防止することができる。
【００１０】
さらなる目的や特徴および利点等は、添付図面を参照してこの発明の好適な実施例を説明したときに、当業者には明確に理解できるようになるであろう。
この発明の種々の形態を説明するために、それが理解されるのに現在好ましい形を図面で示すが、この発明はその正確な配置や手段に限定されることはない。
【図面の簡単な説明】
【００１１】
【図１】レンズ鏡筒アセンブリの分解斜視図である。
【図２】既存の可撓性印刷回路（ＦＰＣ）の一部の種々の層を示す断面図である。
【図３】この発明の実施例による可撓性印刷回路の一部の断面図である。
【図４】この発明の実施例によるＦＰＣに接触し且つ重ね合わせて配置されたレンズの端面図である。
【図５】既存のＦＰＣの近くに配置されたレンズの部分正面・部分断面図である。
【図６】この発明の実施例によるＦＰＣの近くに配置されたレンズの部分正面・部分断面図である。
【図７】図５のＦＰＣ上のレンズの搭載状態を拡大して詳細に示す図である。
【図８】図６のＦＰＣ上のレンズの搭載状態を拡大して詳細に示す図である。
【図９】図７のＦＰＣが左にずれた後のＦＰＣ上のレンズの搭載状態をを示す図である。
【図１０】図８のＦＰＣが左にずれた後のＦＰＣ上のレンズの搭載状態をを示す図である。
【図１１】図７のＦＰＣが右にずれた後のＦＰＣ上のレンズの搭載状態をを示す図である。
【図１２】図８のＦＰＣが右にずれた後のＦＰＣ上のレンズの搭載状態をを示す図である。
【発明を実施するための最良の形態】
【００１２】
以下の記載において、説明のために特定の数値や材料及び構成がこの発明の完全な理解を促すように述べる。しかしながら、この発明はこれらの特定な詳細例以外にも実施できることは、当業者には明らかであろう。幾つかの実施例では、この発明を不明瞭にしないために、周知の特徴は省略するか簡略化している。さらに、明細書中における「一実施例」又は「実施例」のような語句の使用は、この発明の少なくとも一つの実施例に含まれる実施例と関連して記載される特定の特色、構造または特徴であることを意味する。明細書の様々な個所における「一実施例において」のような語句の表現はすべて同じ実施例について言及しているわけではない。
【００１３】
図１は、レンズ鏡筒アセンブリ１００の分解斜視図である。レンズ鏡筒アセンブリ１００は、レンズ鏡筒１１０、可撓性印刷回路２００、液体レンズ等のレンズ３００、クッション４００、回転防止プレート５００及び／又はレンズキャップ６００を備えている。レンズ鏡筒アセンブリ１００は、デジタルカメラ又は他の画像機器のための光学アセンブリを形成する。上記に列挙した部品を選択して、以下にさらに詳細に述べる。
【００１４】
一実施例において、レンズ３００は環状形であり、外径が５ｍｍ〜１０ｍｍである。同様にＦＰＣ７００（図３）もレンズ３００の近くに配置される環状形の環状部を有しており、その外径が５ｍｍ〜１０ｍｍである。しかしながら、レンズ３００及び／又はＦＰＣ７００の環状部は、５ｍｍ未満又は１０ｍｍを超える直径を有していてもよい。
【００１５】
図２は、既存の可撓性印刷回路（ＦＰＣ）２００の環状部の断面図である。ＦＰＣ２００は、カバー２１０、電極２２０、及びベース２３０を備えており、そのベース２３０は樹脂でできているであろう。ＦＰＣ２００の電極２２０は、カバー２１０によって部分的にだけ絶縁され、それにより電極表面２２２を外部装置に対して露出したままにしている。この状態は、電極２２０を外部の電気的な接触点と短絡回路を形成する危険にさらすことになる。
【００１６】
図３は、この発明の実施例による可撓性印刷回路７００の環状部の断面図である。一実施例において、ＦＰＣ７００の環状部の全体的な構成が、図４に示される。具体的には、ＦＰＣ７００の環状部は、図３に示すような断面構成を有する環状構造であり得る。しかしながら、この発明はこの実施例に限定されるものではない。
【００１７】
可撓性印刷回路７００は、第１の絶縁層であるベース７３０、第２の絶縁層であるカバー７１０及び電極７２０を備えている。ベース７３０とカバー７１０は、一般的に「絶縁層」とも称され、樹脂でできているであろう。しかしながら、その絶縁層は樹脂以外の材料でできていてもよい。環状部における電極７２０は電極中央部７２２と、その電極中央部に接続され、第１の絶縁層であるベース７３０を通して延びる電極柱部７２４と、ベース７３０上に配置された環状の電極接触層７２６とを有している。電極７２０は、一つの一体の部品であるか、又は分離した部品として、電極中央部７２２、電極柱部７２４及び電極接触層７２６から組み付けられていてもよい。
【００１８】
ＦＰＣ７００の環状部は環状形であり、従って外周寸法及び径寸法を有している。この場合、図３に示す左右の寸法が、ＦＰＣ７００を構成する各部品の径寸法に相当する。しかしながら、便宜上、図３に示すＦＰＣ７００の部品の寸法に対応する左右の距離は、ＦＰＣ７００の部品の「長さ」と称してもよい。
【００１９】
ＦＰＣ７００の電極７２０は、既存のＦＰＣ２００の電極２２０よりその表面積の大きな部分に亘って絶縁されている。さらに、電極７２０は、好ましくは電極接触層７２６が規定された長さ（図３における左右寸法すなわち径寸法）で作られることによる「選択的露出」であり、レンズ３００と接触して設置される際に最適な電気的性能を確保するために、ＦＰＣ７００の上面に沿った有利な位置決めができる。さらに、電極接触層７２６の配置は、特定のレンズ３００の配置及び／又はＦＰＣ７００が組み付けられるレンズの特定の電極３２０の配置に合わせてなされる。
【００２０】
（削除）
【００２１】
図４の（Ａ）は、この発明の実施例による、ＦＰＣ７００上に重ね合わせて接触して配置されたレンズ３００のアセンブリ１５０の端面図である。
図４の（Ｂ）はこの発明の実施例による、ＦＰＣ７００が図４の（Ａ）から右へ移動された状態のアセンブリ１６０の図である。
【００２２】
図４の実施例においては、レンズ３００とＦＰＣ７００には、それらの間の導通接触のためにそれぞれ環状面がある。図４の（Ａ）及び（Ｂ）の斜線を施した領域１５５，１７０がレンズ３００とＦＰＣ７００の間の電気的接触領域に相当する。図４の（Ａ）は、レンズ３００とＦＰＣ７００が互いに最適な位置関係にある配置を示している。従って、図４の（Ａ）においては比較的大きな電気的接触領域１５５があり、レンズ３００とＦＰＣ７００の間の有効に導通する電気的接触の表面積が大きいことを示している。
【００２３】
図４の（Ｂ）は、変更したアセンブリ１６０を形成するように、ＦＰＣ７００がレンズ３００に対して右（図４で）に移動したアセンブリ１５０を示す。ＦＰＣ７００とレンズ３００は、もはや図４の（Ａ）のように互いに最適な位置関係にはないが、図４の（Ｂ）に示す斜線領域が電気的接触領域１７０であり、導通した電気的接触が維持される領域を示している。レンズ３００とＦＰＣ７００との電気的接触表面の環状構成により、レンズ３００とＦＰＣ７００の軸間にオフセットが存在していても、導通した電気的接触領域１７０の維持が可能になる。レンズ３００とＦＰＣ７００のずれた位置決めにもかかわらず、電気的接触を維持する能力については、以下にさらに詳細に述べる。
【００２４】
環状形のレンズ３００と、環状形のＦＰＣ７００と、環状形の電気的接触領域１５５との間に形成される外形は、もし環状のレンズ３００と環状のＦＰＣ７００の軸がオフセットしたり非整列であった場合には、導通する表面積は減少するが、電気的接触を維持し得るように作用する。
【００２５】
図５は、既存のＦＰＣ２００上に搭載されたレンズ３００の部分正面・部分断面図である。レンズ３００は液体レンズであってもよい。レンズ３００は、中央部３３０と、１個以上の第１の電極３１０及び／又は１個以上の第２の電極３２０とを有している。第２の電極３２０は環状であり、ＦＰＣ２００の電極２２０あるいはＦＰＣ７００の電極７２０（図６）と導通する電気的接触を確立するのが好ましい。レンズ３００の第１の電極３１０は、ＦＰＣ２００あるいはＦＰＣ７００のいずれかの電極と導通する電気的接触を確立しないのが好ましい。なぜなら、そのような接触は短絡回路の状況を引き起こすからである。図５〜図１２について、上記のことを念頭に以下に述べる。
【００２６】
好ましい実施例において、ＦＰＣ２００又は７００とレンズ３００の間のインタフェース（相互接続）領域が環状であることが想起されるであろう。しかしながら、簡略化するために、図７〜図１２には種々の環状インタフェース（相互接続）領域の一部分だけの断面図を示す。すなわち、図７，９及び図１１は、レンズ３００に対する既存のＦＰＣ２００の位置がそれぞれ異なる図５に示したアセンブリの左側部分の断面図である。同様に、図８，１０及び図１２は、レンズ３００に対するこの発明の実施例のＦＰＣ７００の位置が、それぞれ異なる図６に示したアセンブリの左側部分の断面図である。
【００２７】
図６は、この発明の実施例による、ＦＰＣ７００上に搭載されたレンズ３００の部分正面・部分断面図である。レンズ３００のＦＰＣ２００及び７００上への搭載の詳細は、以下に図７〜図１２に関連して詳しく記載する。この実施例において、環状の電極接触層７２６の外径は環状の第２の電極３２０の外径より小さいのが望ましい。この特徴は、図８で最もよく分かる。
以下に、図７、９及び図１１によって、既存のＦＰＣ２００へのレンズ３００の組み付けにより直面する問題点について述べる。
【００２８】
図７は、図５のＦＰＣ２００上のレンズ３００の搭載部分のより詳細な断面図である。
図７は、望ましい相対的な位置決めがなされたレンズ３００とＦＰＣ２００を示す。
図７に示す望ましい相対的な位置決めによって、レンズ３００とＦＰＣ２００との間の電気的接続が所望通りになされる。しかしながら、図７に示す配置は、ＦＰＣ２００又はその一部であるカバー２１０が、レンズ３００に対して左か右（図７，９及び図１１で）のいずれかへシフトした場合、電気的導通の問題が生じやすい。
【００２９】
図８に示すこの発明の実施例では、短絡を起こすには、第１の電極３１０が電極接触層７２６に接触するほど大きく移動する必要がある。従って、短絡の機会を意味するような大きなエラーが起こることは少ない。
【００３０】
図９は、図７に示した相対的な位置決めと比較して、ＦＰＣ２００及び／又はそのカバー２１０のいずれかがレンズ３００に対して左方へ移動した図７のアセンブリを示している。カバー２１０の左方向への移動は、電極２２０の露出領域９１０を第１の電極３１０に近接させる傾向がある。露出領域９１０は通常、レンズ３００の第２の電極３２０と同じ電圧レベルであり、それは通常、第１の電極３１０とは異なる電圧レベルである。従って、第１の電極３１０が電極２２０の露出領域９１０に近接されると、短絡回路を生じ易い。そのような短絡回路は、レンズ鏡筒アセンブリ１００の動作を大規模に中断させる。従って、このような部品の配置は重要な問題を引き起す。図７のアセンブリ構成に起因する他の起こり得る電気的接続性の問題は、図１１によって以下に述べる。
【００３１】
図１１は、ＦＰＣ２００又はそのカバー２１０がレンズ３００に対して右方（図７で）へシフトした、図７のレンズ３００とＦＰＣ２００のアセンブリを示す。カバー２１０が右方へ移動すると、カバー２１０の右端が、最終的にレンズ３００の第２の電極３２０に突き当る。カバー２１０と第２の電極３２０との接触領域が符合１１１０で示されている。この状況において、最初の接触点を超えてカバー２１０が移動すると、第２の電極３２０を上方へ動かすように作用し、ＦＰＣ２００の電極２２０上の意図した電気的接触の領域から離れる。この非接続は、レンズ３００とＦＰＣ２００の相互間の意図しない電気的離間を招く。このレンズ３００とＦＰＣ２００との間の電気的導通の崩壊は、レンズ鏡筒アセンブリ１００及びそれを内蔵したデジタルカメラのような装置の動作を崩壊させる。
そこで、これに代わる部品の配置について以下に述べる。
【００３２】
以下において、図８、１０及び図１２を参照して、レンズ３００とＦＰＣ７００の間の相対的移動の影響について、この発明の実施例によって検討される。
【００３３】
図８は、図６のＦＰＣ７００上のレンズ３００の搭載をより詳細に示す。以下の説明において、ＦＰＣ７００のレンズ３００に対して相対的な左方又は右方への移動の影響について記載する。
【００３４】
上記のように、図８，１０、１２は、図６の実施例の左側の詳細な断面図である。全体として図６に示すアセンブリ８００を見ると、左方又は右方への相対的な移動の概念は容易に理解される。しかしながら、レンズ３００とＦＰＣ７００との接続部の一部のみの断面領域を見る場合、そのようなサブ領域における電気的導通性の影響は、ＦＰＣ７００のレンズ３００に対する径方向の内方又は外方への相対的な移動として示すことによって、最もよく理解される。
【００３５】
特に、レンズ３００に対するＦＰＣ７００の左方への移動は、アセンブリ８００の左側ではレンズ３００に対するＦＰＣ７００の径方向の外方への移動を生じ、アセンブリ８００の右側ではレンズ３００に対するＦＰＣ７００の径方向の内方への移動を生じる。逆に、レンズ３００に対するＦＰＣ７００の右方への移動は、アセンブリ８００の左側ではレンズ３００に対するＦＰＣ７００の径方向の内方への移動を生じ、アセンブリ８００の右側ではレンズ３００に対するＦＰＣ７００の径方向の外方への移動を生じる。これは、図４の（Ａ）及び（Ｂ）によってさらに説明する。
【００３６】
上述したアセンブリ８００の左側と右側は、それぞれ図４の（Ａ）及び（Ｂ）に示すアセンブリ１５０及び１６０にも適用できる。アセンブリ１５０及び１６０の上部及び下部でのその相対的移動は、半径方向の内方又は外方というよりむしろ主に側方である。
【００３７】
例えば、、図４の（Ｂ）に示す状態において、ＦＰＣ７００とレンズ３００の軸間の左右方向のオフセットは、アセンブリ１６０の最左端及び最右端での電気的接続性をなくすには十分に大きい。しかし、上部と下部の領域が、電気的接続性を維持する電気的接触領域１７０を形成する。このように、この実施例は、レンズ３００とＦＰＣ７００との軸間に実質的なオフセットが存在しても、ＦＰＣ７００とレンズ３００との間の電気的接続性を維持するように動作する。
【００３８】
最初に、レンズ３００に対してＦＰＣ７００を左方（径方向の外方）へ移動させるアセンブリ８００の左側での効果について検討する。図１０は、ＦＰＣ７００がレンズ３００に対して左方に移動されたときの図８のアセンブリ８００を示す。図９に示したアセンブリにおいて、短絡回路の危険をもたらした第１の電極３１０に対する電極２２０の露出の問題は、図１０の実施例では回避されている。その理由は、第１の絶縁層であるベース７３０が電極７２０の電極中央部７２２の上面を略完全に覆って延びており、それにより電極中央部７２２を第１の電極３１０から絶縁し、それによって短絡回路の条件を回避するように作用するためである。
【００３９】
図１０を参照すると、レンズ３００の第１の電極３１０とＦＰＣ７００の電極７２０における電極接触層７２６との間の短絡回路は、それらの間で十分な距離を維持することにより、ＦＰＣ７００の最初の左方への移動の間回避される。ＦＰＣ７００が更に左方に移動すると、レンズに固定されている第１の電極３１０は、さらに電極接触層７２６の上面に沿って右方へ前進するように配置されることになる。図１０は、その右面が電極接触層７２６の右側表面に実質的に当接するように配置された第２の電極３２０を示している。
【００４０】
図４の（Ｂ）に示すように、第２の電極３２０と電極接触層７２６との間の機械的係合及び電気的接続は、レンズ３００とＦＰＣ７００との間の環状インタフェースの周囲の他の電気的接触領域１７０によって維持されてもよい。従って、この発明の実施例において、提供された電気的接触の幾何学形状の性質は、２つのマッチング部品（レンズ３００及びＦＰＣ７００）の間に、環状の電極接触層７２６の径寸法（図８，１０及び図１２で）は左右方向の寸法の大きさを超えるオフセット（すなわち、位置決めエラー）が存在しても、レンズ３００とＦＰＣ７００との間の電気的接続性を維持できるように作用する。
【００４１】
次に、図８のアセンブリ８００におけるレンズ３００に対して、右方（すなわち径方向の内方）へＦＰＣ７００を移動した場合の、図６に示したアセンブリ８００の左側における効果について検討する。図１２は、ＦＰＣ７００がレンズ３００に対して右へ移動された図８のアセンブリ８００を示す。ＦＰＣ７００が右方へ移動しても、第２の電極３２０はレンズ３００に対して固定されたままである。
従って、ＦＰＣ７００が右方へ移動すると、電極７２０の電極接触層７２６が第２の電極３２０に対して右方へ移動し、その間それらの電気的接続性を維持している。図１２に示すように前進した状態で、図８に示した電極接触層７２６がその開始位置に対して著しく移動しているのが見てとれる。さらに、レンズ３００とＦＰＣ７００のアセンブリ８００の構造的完全性、及び電極７２０の電極接触層７２６と第２の電極３２０間の導通した電気的接触が、レンズ３００に対するＦＰＣ７００の移動に亘って維持されるのが望ましい。
【００４２】
図１２に示すＦＰＣ７００とレンズ３００の部分が完全に接触しなくなった場合（図４の（Ｂ）参照）でも、レンズ３００とＦＰＣ７００との間の確実な機械的係合及び電気的接続は、図４の（Ｂ）に示すように、これらの２個の部品間の環状インタフェースの周囲に沿ったどこかの電気的接触領域１７０によってなお維持され得る。
【００４３】
図１１のアセンブリにおいて招いた、ＦＰＣ２００の電極２２０からレンズ３００が電気的に離間する問題は、電極接触層７２６よりレンズ３００の近くに位置する図１１のカバー２１０のような絶縁層がないために回避された。このように、レンズ３００とＦＰＣ７００の配置ミスによって第２の電極３２０の方へ前進したときに、第２の電極３２０に突き当たって、ＦＰＣ７００とのその第２の電極３２０との接触を断たせるような層はない。
【００４４】
従って、この実施例において、電極接触層７２６が、第１の絶縁層であるベース７３０に比べて第２の電極３２０に近い位置にある（図１２における垂直方向の寸法）ことは、図１１のアセンブリについて言及した問題を有利に回避する。
【００４５】
従って、電極７２０のこの幾何学形状の実施例は、ａ）第１の電極３１０と電極７２０との間で短絡を起こすこと、またはｂ）第２の電極３２０が電極７２０から電気的に離間すること、のいずれもなく、レンズ３００とＦＰＣ７００がそれらの間の環状インタフェース上で相互に横方向に移動することを可能にする。
【００４６】
その周囲に沿ったある点で、レンズ３００の第２の電極３２０とＦＰＣ７００における電極７２０の電極接触層７２６との間の電気的接続性を維持する能力は、第２の電極３２０の径寸法及び／又は電極接触層７２６の径寸法によるであろう。実施例において、レンズ３００とＦＰＣ７００の軸にオフセットがあっても、これらの二つの部品間で環状インタフェース領域の全周に亘って第２の電極３２０と電極接触層７２６との間で電気的接続性を維持することが望ましい。しかしながら、上述し、図４の（Ｂ）に示したように、ここに開示したこの発明の実施例において、たとえ第１の電極３１０と電極７２０との間の環状インタフェース領域の周囲の一つ以上の部分で接触が失われたとしても、第２の電極３２０と電極７２０との間の電気的接続性が維持されるであろう。
この実施例によれば、上記環状接触領域の径寸法が、レンズ３００とＦＰＣ７００の軸間にオフセットが発生しても、導通した電気的接触を維持し得るのに十分である。
その導通した電気的接触は、上記オフセットが１ｍｍ以下の場合、５ｍｍ以下の場合、あるいは１０ｍｍ以下の場合に、それぞれ維持されるように構成することができる。
【００４７】
この発明は特定の実施例について説明されたが、これらの実施例はこの発明の原理と応用を説明しただけであることが理解されるであろう。従って、特許請求の範囲によって規定されるこの発明の範囲及び精神から逸脱することなく、説明した実施例に対する種々の変更が可能であり、また他の配置が工夫され得ることが分かるであろう。
【符号の説明】
【００４８】
１００：レンズ鏡筒アセンブリ    １１０：レンズ鏡筒
１５０，１６０，８００：アセンブリ    １５５，１７０：電気的接触領域
２００，７００：可撓性印刷回路（ＦＰＣ）  ３００:レンズ
３１０：第１の電極    ３２０：第２の電極    ３３０：レンズの中央部
４００：クッション    ５００：回転防止プレート    ６００：レンズキャップ
７１０：カバー（第２の絶縁層）    ７２０：電極    ７２２：電極中央部
７２６：電極接触層    ７３０：（第１の絶縁層）    ８００：アセンブリ
【図１】
0005416291.tif 000002
【図２】
0005416291.tif 000003
【図３】
0005416291.tif 000004
【図４】
0005416291.tif 000005
【図５】
0005416291.tif 000006
【図６】
0005416291.tif 000007
【図７】
0005416291.tif 000008
【図８】
0005416291.tif 000009
【図９】
0005416291.tif 000010
【図１０】
0005416291.tif 000011
【図１１】
0005416291.tif 000012
【図１２】
0005416291.tif 000013